(57)【特許請求の範囲】
【請求項１】
電子顕微鏡により取り込まれた測定画像データ、その測定条件のテキストデータ、及び測定画像データに付される個別コメントを組み合わせ、編集処理して測定画像文書を作成する装置であって、
画像を扱う画像ファイル群と、画像ファイルと対になった測定条件のテキストデータを扱うテキストファイル群と、個々の画像データに個別コメントを付けるためのテキストファイルとを備えるフォルダを作成するフォルダ作成手段と、
フォルダ作成手段により作成されたフォルダに測定画像データ、付随する測定条件のテキストデータ、及び個別コメントデータを書き込むデータ書き込み手段と、
当該フォルダから測定画像データ、付随する測定条件のテキストデータ、及び個別コメントデータを読みだして一覧表示する一覧表示手段と、
測定画像データ、付随する測定条件のテキストデータ、及び個別コメントデータを貼り込むためのフォーマットを設定するフォーマット設定手段と、
一覧表示された中から指定された測定画像データ、付随する測定条件のテキストデータ、及び個別コメントデータを前記フォーマットでレイアウトする貼り込み手段と
を備えた測定画像文書作成装置。
【請求項２】
請求項１記載の装置において、測定画像データ、付随する測定条件のテキストデータはネットワークを介して転送されるデータであることを特徴とする測定画像文書作成装置。
【請求項３】
請求項１又は２記載の装置において、指定したデータに対して画像処理を行う処理手段を備えたことを特徴とする測定画像文書作成装置。
【請求項４】
請求項１又は２記載の装置において、指定したデータに対してテキスト変換処理を行う処理手段を備えたことを特徴とする測定画像文書作成装置。
【請求項５】
電子顕微鏡により取り込まれた測定画像データ、その測定条件のテキストデータ、及び測定画像データに付される個別コメントが格納された記憶媒体であって、
画像を扱う画像ファイル群と、画像ファイルと対になった測定条件のテキストデータを扱うテキストファイル群と、個々の画像データに個別コメントを付けるためのテキストファイルとを備えるフォルダを作成するステップと、
作成されたフォルダに測定画像データ、付随する測定条件のテキストデータ、及び個別コメントデータを書き込むステップと、
当該フォルダから測定画像データ、付随する測定条件のテキストデータ、及び個別コメントデータを読みだして一覧表示するステップと、
測定画像データ、付随する測定条件のテキストデータ、及び個別コメントデータを貼り込むためのフォーマットを設定するステップと、
一覧表示された中から指定された測定画像データ、付随する測定条件のテキストデータ、及び個別コメントデータを前記フォーマットでレイアウトするステップと、
をコンピュータに実行させるためのプログラムが格納されたことを特徴とするコンピュータ読み取り可能な記憶媒体。
【請求項６】
請求項５記載の記憶媒体において、前記プログラムは、さらにネットワークを介して転送される測定画像データ、付随する測定条件のテキストデータを書き込むステップをコンピュータに実行させることを特徴とするコンピュータ読み取り可能な記憶媒体。
【請求項７】
請求項５又は６記載の記憶媒体において、前記プログラムは、さらに指定したデータに対して画像処理を行うステップをコンピュータに実行させることを特徴とするコンピュータ読み取り可能な記憶媒体。
【請求項８】
請求項５又は６記載の記憶媒体において、前記プログラムは、さらに指定したデータに対してテキスト変換処理を行うステップをコンピュータに実行させることを特徴とするコンピュータ読み取り可能な記憶媒体。
【発明の詳細な説明】
【０００１】
【発明の属する技術分野】
本発明は走査電子顕微鏡（ＳＥＭ）や、これに類似する装置等で測定された画像データを編集し、測定条件等の画像に付随したデータを画像と結合して報告書等の文書を作成する測定画像文書作成装置及び記憶媒体に関する。
【０００２】
【従来の技術】
従来からＳＥＭ等の類似装置のオペレータは、観察・測定して得られたデータ、主に走査像の写真とその写真に付随的な測定条件等のデータを書き添えて、一定のフォーマットに従って編集し、報告書の添付データとして測定の依頼者に提出しているが、近年、コンピュータやワープロの普及に伴い、このような添付データを編集するために、市販の画像データ編集プログラムと、報告書作成プログラムを併用して、報告書内に、画像やそれに付随したデータをはめ込む等の操作をして報告書を作成している。
【０００３】
【発明が解決しようとする課題】
しかし、このような方法では、プログラムの内容があまりに一般的過ぎてＳＥＭ等の装置固有のデータ扱いには、編集の作業効率が悪く、その操作も煩雑であるという実用上の問題があった。
すなわち、画像データの収集に際して、一般のソフトでは、ファイル名やコメント行の使い方を工夫すれば画像に付随するテキストデータ類の表示等に一応の目的は達しないわけではないが、決まった内容でもいちいち入力しなければならず、大変煩わしく、かつ、誤記も招き易い。
【０００４】
或いはこれら付随的データは、画像ファイルとは別にテキストファイルを用意し、ＳＥＭから自動的に転送することもできるが、こうすると一つのデータに複数のファイルを組みとして扱わなければならなくなる。したがって、編集に際しては、これらをそれぞれ別個にはめ込むようにしなければならず、しかも一部の転送データはそのままでは意味不明であったりするので、ある種の変換作業を必要とし、これも大変煩わしく、かつ、誤操作も起こし易い。
【０００５】
また、ＳＥＭ等の報告書の付属の画像データは、従来からの一定のフォーマット（用紙のレイアウト）に従うほうが分かりやすく好まれる。しかも、それら画像データに付随するテキストデータ類は、大抵決まりきった表示の仕方をする。このように、ここで作成の目的とするところの付属データは、定型化されているにもかかわらず、一般のソフトではいちいち同じような煩わしい編集作業を繰り返さなければならない。
【０００６】
また、データの編集を依頼者が自分で行いたいと希望する場合には、依頼者も手持ちのパソコンに同様のソフトをインストールしておく必要がある。これに対し、データの記憶媒体（例えば書込み型のＣＤ）に記録したデータの余白に編集ソフトも記録しておき、この記憶媒体をデータの依頼者に手渡せば、依頼者は手持ちのパソコンで編集作業を行うという方法も考えられるが、一般的な市販のソフトは、プログラムのボリュームが大きく、他のプログラムとの関わりがあるため、技術的にも困難であり、かつ、版権の問題もあり、簡単ではない。
【０００７】
本発明は上記課題を解決するためのもので、ＳＥＭやこれに類似する装置等の測定画像データ、付随するテキストデータを組み合わせて編集処理し、容易に測定画像文書を作成し、また、測定の依頼者自身でも測定画像データ、付随するテキストデータを組み合わせて容易に編集できるようにすることを目的とする。
【０００８】
【課題を解決するための手段】
本発明は、測定画像データとそれに付随するテキストデータを一つのデータのごとくに扱い、編集に際しては、次々と画像データを選択するだけで、予め定めたフォーマットに自動的に画像データとそれに付随したテキストデータをはめ込みプリントアウトし、測定時、編集時、プリントアウト時、オペレータが必要と感じた時点でメモ書きデータを入力することもでき、さらに、画像データを収めた記憶媒体（例えば書込み形のＣＤ）に本発明の専用プログラムも付属させ、これを測定の依頼者に渡すことにより、依頼者は手持ちのパソコンでプログラムのセットアップなしで自由に望み通りの編集が可能であり、これによってオペレータあるいは測定の依頼者が、データを極めて容易に編集可能にしたことを特徴とする。
【０００９】
【発明の実施の形態】
以下、本発明の実施の形態について説明する。
図１は本発明の測定画像文書作成装置の概念図である。
ＳＥＭ１には、制御用であるとともに、画像データの取り込みや、転送する機能を有するコンピュータ２が内蔵されており、ＳＥＭ１で測定された画像データはコンピュータ２に取り込まれて画像メモリ３に格納され、適宜読み出されてコンピュータ２からネットワーク４を介して画像データ処理用のパソコン５に転送される。転送方法としては、測定画像データごとに、あるいは測定した画像データを一部づづまとめて、あるいは全体を一括して転送する等任意の方法でよい。転送されたデータはＲＡＭ６に一時取り込まれた後、或いは直接ハードディスク等の記憶装置７、或いは、駆動装置８で駆動される書込み型のＣＤあるいはＭＯ等の記憶媒体９に書き込まれる。ハードディスク等の記憶装置７には測定画像文書作成用の専用プログラム１０がセットされている。
【００１０】
図２は測定画像文書作成用の専用プログラムを説明する図である。
図２（ａ）に示すように、専用プログラム１０は、一組みの作業を扱うフォルダ群１１と、データを編集し、報告書を作成するためのプログラムデータが格納された実行ファイル１２から構成されている。
図２（ｂ）に示すように、一組の作業を扱うフォルダ１１は、画像を扱う画像ファイル群１１１と、画像ファイルと対になったテキストデータ（測定条件等のデータ）を扱うテキストファイル群１１２と、一組の作業全体について、オペレータが共通コメントとしてメモ書きをするためのテキストファイル１１３と、オペレータが個々のデータに適宜ラベルを付けたり、コメントを付けるためのテキストファイル１１４と、画像ファイル群１１１をアイコン化して収めた画像ファイル１１５等からなる。
【００１１】
実行ファイル１２にはデータ編集を行うプログラムデータが格納されており、以下のようなモジュール構成をしている。
（１）フォルダ群１１を予め生成し設定するためのモジュール１２１、
（２）ネットワーク３を経て転送されるデータを、適宜所定のフォルダ１１、画像ファイル１１１、テキストファイル１１２、１１３、１１４及び画像ファイル１１５を開いてこれらに書き込むモジュール１２２、
（３）任意のフォルダ１１のデータを画像ファイル１１１とテキストファイル１１２、１１３、１１４等と組み合わせて画像ファイル１１５を用いて一覧表示するモジュール１２３、
（４）画像データを処理し、テキストデータを適当な表示形式に変換するモジュール１２４、
（５）報告書の定型フォーマット（用紙のレイアウト）を設定（選択あるいは作成）するモジュール１２５、
（６）一覧表示した画像データからデータを選択して、定型のフォーマットに順次貼り込み、出力するモジュール１２６、
（７）任意の画像データを定型のフォーマットの任意の位置にドラッグし、ドロップするモジュール１２７、
（８）一覧表示、データの選択と貼り込み、出力等に際してコメント等の追加修正をするモジュール１２８、
（９）編集結果を記録として残したり、印刷出力するモジュール１２９
等を有している。
【００１２】
次に、専用プログラムによる各処理について説明する。
〔データ収集〕
図３はデータ収集処理のフローを説明する図であり、図４はデータ収集に際してのデータとこれが格納されるファイルとの関係を説明する図である。
オペレータは依頼者からの依頼内容を勘案して幾つかの組みの作業として、幾つかのフォルダ群１１をモジュール１２１を用いて作成し設定する（ステップ２１）。ある組みの作業において、オペレータはその組全体を示す共通のコメントを、機能１２２を用いてテキストファイル１１３に、ＳＥＭ組み込みコンピュータ２のキーボードなどから書き込む（ステップ２２）。共通のコメントは、例えば、図５に示すように、画像の説明、観察方法等についての説明である。
オペレータはＳＥＭを操作し、走査像を撮影し（ステップ２３）、像撮影の度に一つ一つのデータに適当なラベルなりコメントをＳＥＭ付属のコンピュータ２のキーボードなどから入力する（ステップ２４）。そして、モジュール１２２を用いてネットワーク３を経て画像データとこれに付随する測定条件、コメントなどのデータをパソコン４に転送し、所定のフォルダ１１の画像ファイル１１１とテキストファイル１１２、１１４に書き込む（ステップ２５）。以下、このようにして所望のデータを全て取り終える（ステップ２６）。もちろん、画像データ等の転送は、ＳＥＭ内蔵の画像メモリ２１に一時的に上記画像データ等を記憶しておき、後で一括して行ってもよい。なお、パソコン５側では、転送されて記憶媒体７に記憶したたデータは、後に記憶媒体９にコピーする。
【００１３】
〔データ編集〕
図６はデータ編集処理フローを説明する図である。
オペレータはパソコン４を用いて編集作業を行う。まず、モジュール１２３を用いて、データ編集を行う実行ファイル１２と、所望のフォルダ１１を起動すると（ステップ３１）、フォルダ１１内の画像ファイル群１１１の画像群と、それぞれの画像にテキストファイル１１４内のラベルやコメントを付けたものが一覧表示される（ステップ３２）。図７は一覧表示の例を示しており、画像にラベルやコメントが付されて表示されている。この時、画像データは縮小してアイコン化して画像ファイル１１５に収め、取り扱いを容易にすることができる。オペレータは、一覧表示された画像を見ながら、所望のデータを順次カーソルで指定する（ステップ３３）。
【００１４】
一方、実行ファイル１２には、ＳＥＭ専用のフォーマット（用紙のレイアウト）が幾つか用意されているので、モジュール１２５を用いて適当なフォーマットを設定する（ステップ３４）。次いで、モジュール１２４を用いて、指定した画像に対して、画像枠のサイズに合わせたり、輝度の調整を行うなどの画像処理を行うとともに、テキストファイル１１２の測定条件等のデータを、報告書の読み手によって分かりやすい形式に変換するテキストフィルタ処理を行う（ステップ３５）。テキストフィルタ処理は、ＳＥＭから転送された測定条件等のデータの大部分は、全ての情報を単に機械的に転送されたままテキストファイル１１２に収めているので、図８に示すように、表示する項目を取捨選択すると共に、略号等を分かりやすい言葉に変換する処理で、予め変換テーブルを用意しておくことにより行う。次いで、モジュール１２６によって、画像処理したデータ、テキストフィルタ処理したデータ、テキストファイル１１４のラベルやコメント等のデータを設定したフォーマットで順次貼り付けていく（ステップ３６）。なお、上記したように、画像データを指定された順に貼り付けず、モジュール１２７を用いて任意の画像データを用紙のレイアウトの任意の位置に、ドラッグしていき、ドロップするようにしてもよい。図９は設定したフォーマットで貼り付けた画像データの例を示している。さらに、モジュール１２８によってラベル内容の修正やコメント等の追加等をする（ステップ３７）。以上の処理を、指定した全画像が終了するまで行う（ステップ３８）。
こうして編集の終了したデータをモジュール１２９を用いて記録として残し、あるいはプリンタへ出力して印刷する。
【００１５】
なお、本発明の専用の編集プログラムは、画像データに比べ十分に小さく、かつ、他のアプリケーションプログラムの関連を極力排除するようにしている。そこで、図１０に示すように、画像ファイルに書き込まれた測定画像データ、テキストファイルに書き込まれた付随するテキストデータを記憶媒体９に格納し、これら一連の画像データに本発明の専用の編集プログラムを付属させても、容量的にも動作上問題ない。しかも、このようにすれば依頼者は手持ちのパソコンを用いて、このプログラムをセットアップすることも必要とせずに、この記憶媒体９上から起動して、オペレータと同様な編集作業を行うことができる。もちろん、若干の工夫を追加することによって、このプログラムのコピー禁止ないしコピーしたものでは正常には動作しないようにすることもできる。
【００１６】
また、上記説明では、主としてネットワークを介してパソコン等にデータを取り込むようにしたが、全体のシステムをＳＥＭ等類似装置に付属のコンピュータで処理するようにしてもよく、また、ネットワークを介さず、リムーバブルな記憶媒体を介して処理することも可能である。
【００１７】
【発明の効果】
本発明により、以下のような効果を達成することができた。
▲１▼データの取り込みが容易、かつ確実にできる。
▲２▼データの貼り込みは、データの選択に従い、自動的に極めて簡単、かつ、確実にできる。
▲３▼データの貼り込みに際し、データは所定の変換が自動的に行える。
上記▲１▼〜▲３▼により、依頼者への報告書の作成を極めて能率よく、簡便に行うことができる。
▲４▼記憶媒体にデータと編集処理プログラムを一緒に入れ込むことによって、任意のパソコンでプログラムのセットアップ無しに依頼者が自由に編集作業を行うことができる。
▲５▼編集結果は別途記憶でき、オリジナルデータはそのまま残すことができるので、再編集等も容易にできる。
【図面の簡単な説明】
【図１】  本発明の測定画像編集装置の概念図である。
【図２】  画像編集用の専用プログラムを説明する図である。
【図３】  データ収集処理のフローを説明する図である。
【図４】  データ収集を説明する図である。
【図５】  共通のコメントの例を示す図である。
【図６】  データ編集処理フローを説明する図である。
【図７】  一覧表示の例を示す図である。
【図８】  テキストフィルタ処理を説明する図である。
【図９】  設定したフォーマットで貼り付けた画像データの例を示す図である。
【図１０】  記憶媒体に書き込まれた画像データに、編集プログラムを付属させる例を示す図である。
【符号の説明】
１…ＳＥＭ、２…コンピュータ、３…画像メモリ、４…ネットワーク、５…パソコン、６…ＲＡＭ、７…記憶装置、８…駆動装置、９…記憶媒体、１０…専用プログラム。
【図１】
0003727154.tif 000002
【図２】
0003727154.tif 000003
【図３】
0003727154.tif 000004
【図４】
0003727154.tif 000005
【図５】
0003727154.tif 000006
【図６】
0003727154.tif 000007
【図７】
0003727154.tif 000008
【図８】
0003727154.tif 000009
【図９】
0003727154.tif 000010
【図１０】
0003727154.tif 000011